(57)【要約】【課題】人体に直接装着することなく、安価で容易に眼精疲労を軽減することができる、視力調整シートを提供すること。【解決手段】シート本体３の目印５を近望目視するとともに、大きさは同一でかつ縦横に整然と配置されている透孔４を通して見える遠景を遠望目視することを交互に行う、あるいは遠近の景色がちらつくことで近望および遠望目視が自然と導入されることにより、視覚器Ｖの適度な運動が行なわれ、眼精疲労を軽減させることができる。【選択図】　　　図１
2004105602.tif 000002
【特許請求の範囲】
【請求項１】
不透明なシート本体と、同シート本体に形成された多数の透孔と、同シート本体の表裏いずれかに形成された貼着面とを備え、同貼着面を透明なガラス面に貼着させた状態で同シート本体を近望目視可能とするとともに同透孔を通して見える遠景を遠望目視可能とするようにしたことを特徴とする眼精疲労軽減用のシート。
【請求項２】
前記透孔の大きさは同一でかつ整然と配置されている請求項１に記載の視力調整シート。
【請求項３】
前記シート本体に、近望目視導入の補助となる目印が表示されていることを特徴とする請求項１又は請求項２に記載の視力調整シート。
【請求項４】
前記シート本体には前記透孔を塞ぐ閉塞部材が併設され、同透孔を同閉塞部材によって開閉することで、前記近望目視のパターンを自由に選択し、実施できることを特徴とする請求項１〜３のいずれかに記載の視力調整シート。
【発明の詳細な説明】
【０００１】
【発明の属する技術分野】本発明は、視力回復に寄与する眼精疲労軽減用の視力調整シートに関するものである。
【０００２】
【従来の技術】現代日常生活においては、テレビジョン、パソコン等の普及により、従来にも増して眼精疲労に悩まされるている人が多くなっている。そして、眼精疲労の際には遠望目視をしていた。また、眼鏡やコンタクトレンズ等の長時間使用による眼精疲労を訴える人も少なくない。さらに、視力回復の為の治療や手術は高価で、経済的負担も強いられるといった問題点も存在する。
【０００３】
【発明が解決しようとする課題】しかしながら、ただ単に遠景を遠望目視しただけでは疲労が回復されにくく、必ずしも十分な効果は得られない。また、その他の方法では、手間や時間が掛かったり、経済的負担を強いられるといった問題点もある。
本発明は、このような従来の技術に存在する問題点に着目してなされたものである。その目的とするところは、人体に直接装着することなく、安価で容易に眼精疲労を軽減することができる、視力調整シートを提供することにある。
【０００４】
【課題を解決するための手段】上記課題を解決するために、請求項１の発明では不透明なシート本体と、同シート本体に形成された多数の透孔と、同シート本体の表裏いずれかに形成された貼着面とを備え、同貼着面を透明なガラス面に貼着させた状態で同シート体を近望目視可能とするとともに同透孔を通して見える遠景を遠望目視可能とするようにしたことを要旨とする。
このように構成すると、人体視覚器において、近望および遠望に対応する為に、毛様体筋（調節筋）の調節により水晶体が湾曲を繰り返し屈折率を変化させる。これによって、視覚器の運動が適度に行なわれる。
【０００５】請求項２の発明では、請求項１の発明の構成に加え、前記透孔の大きさは同一でかつ整然と配置されていることを要旨とする。
これによって、上記請求項１の作用に加え、近望および遠望目視導入を補助し、遠景および前記シート本体を見やすくすることができる。
【０００６】請求項３の発明では、請求項１又は請求項２の発明の構成に加え、前記シート本体に、近望目視した際焦点が合いやすいように目印が表示されていることを要旨とする。
これによって、上記請求項１および請求項２の作用に加え、近望目視導入の補助となり、速やかに近望目視状態へと移行することができる。
【０００７】
請求項４の発明では、請求項１〜３のいずれかの発明の構成に加え、前記シート本体には前記透孔を塞ぐ閉塞部材が併設され、同透孔を同閉塞部材によって開閉することで、前記近望目視のパターンを自由に選択し、実施できるようにしたことを要旨とする。
これによって、上記請求項１〜３の作用に加え、パターンを変更できるので、使用者は飽きずに使用し続けることができる。
【０００８】
【発明の効果】
上記請求項１に記載の発明により、疲れ目の際、人体に直接装着することなく、安価で容易に眼精疲労を軽減することができる。請求項２に記載の発明では、遠景およびシート本体を見やすくすることができる。請求項３に記載の発明では、速やかに近望目視状態へと移行することができる。請求項４に記載の発明では、使用者は飽きずに使用し続けることができる。
【０００９】
【発明の実施の形態】以下、本発明の具体的な実施の形態を図面に基づいて説明する。
（実施の形態１）
まず、図１に基づいて実施形態１の視力調整シート１を説明する。
視力調整シート１は、シート本体３と同シート本体３に形成された多数の透孔４および同シート本体３の表面に表示された目印５によって構成されている。
シート本体３は、材質は紙であること、適当な厚みのある所定サイズの長方形形状であること、不透明であること、配色は緑色系を基調とする。
円形状の各透孔４は、同一形状に形成され、シート本体３に縦横に整然と配置されている。
×印形状の目印５は、シート本体３の表面上に、具体的には隣りあった上下および左右の４つの透孔４の中央に表示されている。
また、シート本体３の裏面は貼着面とされ、ガラス面に貼着する為の固定手段としての粘着テープ８が配設されている。
（実施の形態２）
次に図２に基づいて実施形態２の視力調整シート２を説明する。
シート本体３の材質、形状、配色は前記実施の形態１と同様である。
視力調整用シート２は、シート本体３に形成された多数の透孔としての開口部６および目印５が表示されている同開口部６と同形状の閉塞部材としてのフラップ７によって構成されている。
正方形の各開口部６は、同一形状に形成され、シート本体３に縦横に整然と配置されている。
×印形状の目印５は、開口部６と同形状の閉塞部材としてのフラップ７の中央に表示されている。
フラップ７は、各開口部６毎に配設されている。本実施の形態では、フラップ７の大きさは開口部６と同一とされている。
また、シート本体３の裏面は貼着面とされ、ガラス面に貼着する為の固定手段としての粘着テープ８が配設されている。
【００１０】
次に、図３〜図６に基づいて、上記視力調整シート１，２の使用方法を説明する。
まず、図３に基づいて、代表例として、視力調整シート１の使用方法について説明する。
室内のガラスＷの表面内側の所定の位置に、シート本体３の裏面の粘着テープ８の上紙を剥がして貼着する。
人Ｈは視力調整シート１を近望目視するとともに、透孔４を通して遠方の対象物Ｏを遠望目視することを交互に行う。
その際、人Ｈの視覚器Ｖにおいて、近望および遠望に対応する為に、毛様体筋（調節筋）の調節により水晶体Ｃが湾曲を繰り返し屈折率を変化させる。これによって視覚器Ｖの適度な運動が行なわれることとなる。
また、目印５によって、近望目視した際、焦点が合いやすくなり、速やかに近望目視状態へと移行することができる。
【００１１】
さらに、その様子を、人Ｈの視点に立った実施の形態として、図４、図５および図６に示す。
（実施の形態１）
図４に示すように、視力調整シート１においては、透孔４を通して遠方の対象物Ｏを遠望目視した状態からシート本体３を近望目視した際、目印５によって、速やかに近望目視状態へと移行することができる。さらに、遠近の景色がちらつくことで、近望および遠望目視が自然と導入される。
（実施の形態２）
図６に示すように、視力調整シート２は、開口部６を閉塞しているフラップ７を、室内のガラスＷの所定の位置に貼着されているシート本体３の面に対して、手前側に垂直に折り曲げて、所望のパターンで使用する。
これによって、図５に示すように、視力調整シート２においては、開口部６を通して遠方の対象物Ｏを遠望目視した状態からシート本体３を近望目視した際、閉塞状態にあるフラップ７の中央に表示されている目印５によって、速やかに近望目視状態へと移行することができる。さらに、遠近の景色がちらつくことで、近望および遠望目視が自然と導入される。
なお、図６では、シート本体３およびガラスＷの厚み等詳細は若干誇張して表現されている。
【００１２】
このように構成することで、上記実施の形態では次のような効果が奏される。
（１）実施の形態１においては、シート本体３を近望目視するとともに透孔４を通して見える遠景を遠望目視することを交互に行うことにより、視覚器Ｖの適度な運動が行なわれ、眼精疲労を軽減させることができる。
（２）実施の形態２においては、シート本体３を近望目視するとともに開口部６を通して見える遠景を遠望目視することを交互に行うことにより、視覚器Ｖの適度な運動が行なわれ、眼精疲労を軽減させることができる。
（３）実施の形態１および２において、透孔４および開口部６が、大きさは同一でかつ縦横に整然と配置されていることにより、近望および遠望目視導入を補助し、遠景およびシート本体３を見やすくすることができる。
（４）また、実施の形態１および２の目印５によって、近望目視した際、焦点が合いやすくなり、速やかに近望目視状態へと移行することができる。さらに、遠近の景色がちらつくことで、近望および遠望目視が自然と導入される
（５）また、シート本体３の配色を、緑色系を基調とすることによって、特に心理的効果として、眼精疲労の軽減を補助することができる。
（６）実施の形態２において、透孔としての開口部６を、閉塞部材としてのフラップ７によって閉塞する際、パターンを変更できるので、使用者は飽きずに使用し続けることができる。
（７）人体に直接装着することなく、安価で容易に眼精疲労を軽減することができる。
（８）このように眼精疲労を軽減することにより、結果として視力回復の一助にもなる。
【００１３】
なお、この発明は前記実施の形態に限定されるものではなく、次のように変更して具体化することも可能である。
・シート本体３の材質は、前記実施の形態では紙としたが、プラスチック、金属その他の素材からなるものであっても構わない。特に可撓性のある素材が好ましい。
・シート本体３の形状、大きさは自由である。
・シート本体３の配色を緑色系としたのは、特に心理的効果を得る為であるから、緑色系以外の配色でも構わない。
・シート本体３のガラス面への固定手段については、前記実施の形態では、シート本体３の裏面は粘着テープ８が配設されているとしたが、粘着テープ８以外の貼着面を備える方法または吸盤の使用、あるいは静止摩擦を利用した貼着方法であってもよい。
・前記実施の形態では、遠方を透視できる視力調整シートの被貼着面として、ガラス面としたが、アクリル樹脂、ポリカーボネート等、透明度（光透過率）が高く、同様に実施可能なものであってもよい。
・透孔４は、前記実施の形態では、シート本体３に縦横に整然と配置されているとしたが、斜め、らせん状、渦巻状等、整然と配置されていれば構わない。
・透孔４の、大きさは同一でなくてもよく自由である。
・透孔４の配列、個数は自由である。
・目印５の形状は一例であって×印以外の文字、図形、絵等であってもよい。
・また、目印５の大きさは自由である。
・実施形態１において、目印５の配列、個数は自由である。
・開口部６の形状は正方形でなくてもよく、自由である。
・開口部６の大きさは自由である。
・開口部６の配列、個数は自由である。
・閉塞部材としてのフラップ７は、フラップ状でなくてもよく、形状は自由である。
・また、フラップ７の大きさは開口部６と同一でなくてもよく、自由である。
・また、どの開口部を閉塞するかは自由に選択し、所望のパターンで実施することができる。
・閉塞部材は、シート本体３の材質と異なっていてもよく、自由である。
・また、閉塞部材を使用するか否かは自由である。
・実施形態２において、目印５は、フラップ７の中央に表示されているとしたが、配設位置、個数は自由である。
その他、本発明の趣旨を逸脱しない態様で実施することは自由である。
【００１４】
【図面の簡単な説明】
【図１】本発明の視力調整シート１の正面図。
【図２】本発明の視力調整シート２の正面図。
【図３】本発明の実施の形態を説明する斜視図
【図４】本発明の視力調整シート１について、人Ｈの視点に立った実施の形態を説明する正面図。
【図５】本発明の視力調整シート２について、人Ｈの視点に立った実施の形態を説明する正面図。
【図６】本発明の視力調整シート２について、図５のＡ−Ａ線で切断した視力調整シート２の側面図。
【符号の説明】３…シート本体、４…透孔、５…目印、６…透孔としての開口部、７…閉塞部材としてのフラップ、Ｗ…ガラス面。
【図１】
2004105602.tif 000003
【図２】
2004105602.tif 000004
【図３】
2004105602.tif 000005
【図４】
2004105602.tif 000006
【図５】
2004105602.tif 000007
【図６】
2004105602.tif 000008